(57)【特許請求の範囲】
【請求項１】
電源から電圧が入力される第１のコンバータ回路と、
前記第１のコンバータ回路からの出力を光源に供給する第２のコンバータ回路と、
前記第１のコンバータ回路の出力電圧を定電圧制御するとともに、前記第２のコンバータ回路の出力電流を定電流制御し、第１のアダプタモジュールに接続可能な制御装置と、
を備え、
前記制御装置は、
前記第１のアダプタモジュールからの識別信号に応じて前記第１のコンバータ回路を駆動させ、前記第２のコンバータ回路を停止させた状態で消灯待機しておき、前記第１のアダプタモジュールから点灯指令を取得したとき、前記第２のコンバータ回路を駆動して前記光源を点灯させることを特徴とする点灯装置。
【請求項２】
前記制御装置は、前記光源点灯後、前記第１のアダプタモジュールから消灯指令を受けたとき、前記第２のコンバータ回路の駆動を停止し、前記第１のコンバータ回路の駆動を継続した状態で消灯待機に戻ることを特徴とする請求項１に記載の点灯装置。
【請求項３】
前記制御装置は、前記第１のアダプタモジュールとは異なる機能の第２のアダプタモジュールからの識別信号を取得したとき、または識別信号の送信がないとき、前記第１のコンバータ回路および前記第２のコンバータ回路を駆動させない状態で、消灯待機することを特徴とする請求項１または請求項２のいずれか1項に記載の点灯装置。
【請求項４】
前記制御装置は、前記第２のアダプタモジュールからの点灯指令を取得したとき、前記第１のコンバータ回路を駆動させた後、前記第２のコンバータ回路を駆動させて前記光源を点灯させることを特徴とする請求項３に記載の点灯装置。
【請求項５】
請求項1または請求項２のいずれか1項に記載の点灯装置が設置された筺体と、前記第１のアダプタモジュールと、前記光源とを備えたことを特徴とする照明器具。
【請求項６】
請求項３または請求項４のいずれか1項に記載の点灯装置が設置された筺体と、前記第１のアダプタモジュールまたは前記第２のアダプタモジュールと、前記光源とを備えたことを特徴とする照明器具。
【発明の詳細な説明】
【技術分野】
【０００１】
本発明は、アダプタモジュールの機能によって点灯回路の動作が異なる点灯装置及び照明器具に関する。
【背景技術】
【０００２】
従来、例えば特許文献１に開示されているように、照明器具が信号線端子台と点灯回路と個別制御ユニットを搭載して構成され、各々に接続している配線のコネクタの接続方法を切り替えることで、信号線端子台と点灯回路の間における個別制御ユニットの有無を変更可能としている。これにより、特許文献１では、容易に点灯制御方式を切り替えて照明光の制御を行うことが可能となる。
【先行技術文献】
【特許文献】
【０００３】
【特許文献１】特開２０１４−０８６１６６号公報
【発明の概要】
【発明が解決しようとする課題】
【０００４】
しかしながら、特許文献１では、個別制御ユニットの有無を変更した場合でも、点灯回路は照明光以外の制御について提示されておらず、この点において従来の技術はいまだ改善の余地を残すものであった。例えば、人感センサ付アダプタモジュールを備えた照明器具においては、人を検知してから点灯するまでに短い時間が要求されるような廊下などに設置された場合、人が照明器具を通り過ぎてから点灯してしまうようなことがあった。
【０００５】
本発明は、上述のような課題を解決するためになされたもので、人を検知してから点灯するまでに短い時間が要求されるような場所に設置された場合、確実に人に対して点灯開始できる点灯装置および照明器具を提供することを目的とする。
【課題を解決するための手段】
【０００６】
本発明に係る点灯装置、電源から電圧が入力される第１のコンバータ回路と、前記第１のコンバータ回路からの出力を光源に供給する第２のコンバータ回路と、前記第１のコンバータ回路の出力電圧を定電圧制御するとともに、前記第２のコンバータ回路の出力電流を定電流制御し、第１のアダプタモジュールに接続された制御装置と、を備え、前記制御装置が、前記第１のアダプタモジュールからの識別信号に応じて前記第１のコンバータ回路の出力電圧を定電圧制御した状態で消灯待機しておき、前記第１のアダプタモジュールから点灯指令を受けたとき、前記第２のコンバータ回路を駆動して前記光源を点灯させるものである。
【発明の効果】
【０００７】
本発明によれば、人を検知してから点灯するまでに短い時間が要求されるような場所に照明器具が設置された場合、確実に人に対して点灯開始できる。
【図面の簡単な説明】
【０００８】
【図１】本発明の実施の形態１に係る点灯装置１を示す回路図である。
【図２】本発明の実施の形態１に係る照明器具１００の構成を示す図である。
【図３】本発明の実施の形態１に係る点灯装置１の動作を示すフローチャートである。
【図４】本発明の実施の形態１に係る点灯装置１の動作を示すフローチャートである。
【発明を実施するための形態】
【０００９】
以下、本発明の実施の形態を、図面に基づいて説明する。なお、以下に示す図面の形態によって本発明が限定されるものではない。
【００１０】
実施の形態１．
図１は本発明の実施の形態１に係る点灯装置１を示す回路図、図２は本発明の実施の形態１に係る照明器具１００の構成を示す図である。照明器具１００は、複数のＬＥＤ２６を備えるＬＥＤモジュール２７と、点灯装置１と、収納部１０１と、この収納部１０１内に収納される人感センサ４ａを備えたアダプタモジュール４と、を備えている。ＬＥＤモジュール２７、点灯装置１、収納部１０１、およびアダプタモジュール４は、何れも照明器具１００に設置される場合を示したが、ＬＥＤモジュール２７と点灯装置１を設置した光源ユニットを器具に取り付ける構成であってもよいし、器具側に点灯装置１を設置し、この器具にＬＥＤモジュール２７を設置した光源ユニットを取り付ける構成であってもよい。点灯装置１は、昇圧チョッパ回路２（第１のコンバータ回路）、バックコンバータ回路３（第２のコンバータ回路）、および制御装置４０を備えている。ここでは、ＬＥＤを光源として使用したが、ＬＥＤ以外の有機ＥＬ等の光源を使用してもよい。
【００１１】
昇圧チョッパ回路２は、力率改善回路であり、整流回路８と、コンデンサ９と、抵抗３１、３２が直列接続した分圧回路と、インダクタ（チョークコイル）１０と、スイッチング素子Ｑ１と、ダイオード１４と、コンデンサ１７と、抵抗１５、１６が直列接続した分圧回路を備えている。整流回路８は、交流電源７と接続している。コンデンサ９は、整流回路８の出力端子に並列に接続する。抵抗３１、３２が直列接続した分圧回路は、このコンデンサ９に並列に接続される。コンデンサ９の両端電圧が抵抗３１、３２を用いて分圧され、制御装置４０に入力される。インダクタ１０は、一端が整流回路８の高電位側に接続される。
【００１２】
スイッチング素子Ｑ１は、本実施形態ではＭＯＳＦＥＴであり、第１端子（本実施形態ではドレイン）、第２端子（本実施形態ではソース）および第１、２端子間をスイッチングするための制御端子（本実施形態ではゲート）を備え、インダクタ１０の他端に第１端子が接続される。ダイオード１４のアノードが、スイッチング素子Ｑ１の第１端子とインダクタ１０の他端との接続点に接続される。コンデンサ１７は、ダイオード１４のカソードに正極が接続され整流回路８の低電位側に負極が接続される電解コンデンサからなる。抵抗１５、１６が直列接続した分圧回路は、このコンデンサ１７に並列に接続される。コンデンサ１７の両端電圧が抵抗１５、１６を用いて分圧され制御装置４０に入力される。
【００１３】
バックコンバータ回路３は、スイッチング素子Ｑ２と、ダイオード２１と、インダクタ（チョークコイル）２２と、コンデンサ２３と、検出抵抗２４を備えている。スイッチング素子Ｑ２とダイオード２１からなる直列回路が、昇圧チョッパ回路２のコンデンサ１７と並列に接続されている。スイッチング素子Ｑ２は、本実施形態ではＭＯＳＦＥＴであり、第１端子（本実施形態ではドレイン）、第２端子（本実施形態ではソース）および第１、２端子間をスイッチングするための制御端子（本実施形態ではゲート）を備えている。この第１端子がコンデンサ１７の一端（正極）と接続し、ダイオード２１のカソードに第２端子が接続される。インダクタ２２、コンデンサ２３、および検出抵抗２４がこの順に接続して直列回路を形成しており、この直列回路がダイオード２１に並列に接続している。
【００１４】
検出抵抗２４は、バックコンバータ回路３に設けられており、ＬＥＤモジュール２７に流れるＬＥＤ電流の検出に用いられる。検出抵抗２４からの検出電圧が制御装置４０に入力され、制御装置４０はこの検出電圧に基づいて、ＬＥＤモジュール２７に流れる電流が一定電流になるようにバックコンバータ回路３のスイッチング素子Ｑ２をオンオフする。
【００１５】
デジタル電源用制御装置として提供されるマイコンは既に各種のものが公知であるため、それら公知のマイコンを制御装置４０に適宜に使用することができる。本実施の形態において一例として図１に示す制御装置４０は、内部バスを介して互いに接続された駆動回路４１、４２、記憶部４３、Ａ／Ｄ変換回路４４、処理装置４５および通信回路４６を備えている。駆動回路４１、４２は、スイッチング素子Ｑ１、Ｑ２それぞれをスイッチングするＰＷＭ信号を出力する。
【００１６】
記憶部４３は、例えば不揮発性メモリなどからなり、処理装置４５で実行すべき演算プログラムおよび演算に用いられる各種データを記憶している。記憶部４３に対して外部からデータの書き込みおよび読み出しが行われる。処理装置４５は、スイッチング素子Ｑ１、Ｑ２のスイッチング制御におけるオン時間などを算出する。制御装置４０には、抵抗１５，１６で分圧された電圧、抵抗３１、３２で分圧された電圧、および検出抵抗２４で検知したＬＥＤ電流に応じた電圧が入力される。Ａ／Ｄ変換回路４４でこれらの電圧値がデジタル値に変換され、このデジタル値を用いて処理装置４５により演算処理が行われる。
【００１７】
人感センサ４ａ付アダプタモジュール４は、照明器具１００の収納部１０１内に収納され、制御装置４０の処理装置４５と通信回路４６を介して通信を行う。処理装置４５には、通信回路４６を介してアダプタモジュール４からの調光指令値が入力される。処理装置４５は、ＬＥＤ電流がこの調光指令値に基づいて決定される目標電流に一致するように、検出抵抗２４で検知したＬＥＤ電流に基づいてスイッチング素子Ｑ２のオン時間を調整することで定電流制御を行っている。なお、通信回路４６とアダプタモジュール４はシリアル通信により、調光指令値のほか、アダプタモジュール４の識別信号なども伝送する。
【００１８】
図３、４は、本発明の実施の形態にかかる点灯装置１の動作を示すフローチャートである。以下、図３、４の各ステップに基づいて説明する。
【００１９】
（Ｓ１０１）
図示しない壁スイッチやリモコンなどにより照明器具１００の電源がオンされると、交流電源７は、点灯装置１と、アダプタモジュール４に電源を印加する。
【００２０】
（Ｓ１０２）
照明器具１００の収納部１０１内には人感センサ４ａ付アダプタモジュール４が収納されているので、アダプタモジュール４は、人感センサ４ａ用という機能を識別できる人感センサ４ａ用識別信号を、通信回路４６を介して処理装置４５に送信する。処理装置４５は、人感センサ４ａ用識別信号を受信すると、予め記憶部４３に設定した判定用識別情報をもとに、その識別信号を有効と判定し、ステップＳ１０３〜ステップＳ１０５に移行する。記憶部４３には、予め人感センサ４ａ用識別信号という情報が、判定用識別情報の中で有効と判定する情報として設定されている。
【００２１】
人感センサ４ａ付アダプタモジュール４とは異なる機能のアダプタモジュールも、収納部１０１内に収納でき、通信回路４６を介して処理装置４５と通信可能である。例えば照度センサ付アダプタモジュールが収納部１０１内に収納された場合、照度センサ付アダプタモジュールは、照度センサ用識別信号を、通信回路４６を介して処理装置４５に送信する。処理装置４５は、照度センサ用識別信号を受信すると、予め記憶部４３に設定した判定用識別情報をもとに、その識別信号を無効と判定し、ステップＳ１０６に移行する。記憶部４３には、予め照度センサ用識別信号という情報が、判定用識別情報の中で無効と判定する情報として設定されている。
【００２２】
また、照度センサ用識別信号という情報が、判定用識別情報の中にないときにも、無効と判定するように構成してもよい。処理装置４５は、電源オン後、アダプタモジュールが収納部１０１内に設置されてもアダプタモジュールから所定時間、識別信号が送信されないときや、アダプタモジュールが設置されてなくて所定時間、識別信号が送信されないときも、無効と判定し、ステップＳ１０６に移行する。処理装置４５は、無効と判定した時、駆動回路４１、４２により各々スイッチング素子Ｑ１、Ｑ２に対してスイッチング信号（ＰＷＭ信号）を出力していないため、昇圧チョッパ回路２及びバックコンバータ回路３は駆動しておらず、ＬＥＤモジュール２７は消灯状態となっている。
【００２３】
（Ｓ１０３）
照明器具１００の収納部１０１内に人感センサ４ａ付アダプタモジュール４が収納され有効と判定した後、処理装置４５は、昇圧チョッパ回路２駆動用の駆動回路４１を駆動する。駆動回路４１は、昇圧チョッパ回路２のスイッチング素子Ｑ１を駆動するために、スイッチング信号（ＰＷＭ信号）を出力する。
【００２４】
（Ｓ１０４）
処理装置４５は、抵抗１５、１６を用いて分圧され入力された昇圧チョッパ回路２の出力電圧（コンデンサ１７の両端電圧）が、予め記憶部４３に設定されている目標電圧に達するように、駆動回路４１によりスイッチング素子Ｑ１をオンオフする。処理装置４５は、昇圧チョッパ回路２の出力電圧が、目標電圧に到達したかどうかの判定を行う。処理装置４５は、昇圧チョッパ回路２の出力電圧が目標電圧に到達するまで、判定を繰り返し、目標電圧に達すると、ステップＳ１０５に移行する。
【００２５】
（Ｓ１０５）
処理装置４５は、昇圧チョッパ回路２の出力電圧が目標電圧に到達した後、その出力電圧が安定するまでの所定時間に達するまで、駆動回路４１によりスイッチング素子Ｑ１をオンオフする。処理装置４５は、昇圧チョッパ回路２の出力電圧が目標電圧に到達した後、その出力電圧が安定するまでの所定時間に達するまで、判定を繰り返し、所定時間に達すると、ステップＳ１０６に移行する。昇圧チョッパ回路２は、その出力電圧が目標電圧に達し所定時間維持して、定電圧制御がなされた安定した状態となっている。この時、処理装置４５は、駆動回路４２よりスイッチング素子Ｑ２にスイッチング信号(PWM信号)を出力していないため、バックコンバータ回路３は駆動しておらず、ＬＥＤモジュール２７は消灯状態となっている。
【００２６】
（Ｓ１０６）
ステップＳ１０５からステップＳ１０６に移行した場合で、処理装置４５により人感センサ４ａ付アダプタモジュール４が収納部１０１に設置され有効と判断した時、昇圧チョッパ回路２は、その出力電圧が目標電圧に到達し所定時間維持して、定電圧制御がなされた安定した状態となっているが、処理装置４５は、駆動回路４２によりバックコンバータ回路３のスイッチング素子Ｑ２を駆動していないため、ＬＥＤモジュール２７は消灯した待機状態となっている。ステップＳ１０１の電源オンから、ステップＳ１０５の昇圧チョッパ回路２の定電圧制御の間も、処理装置４５は、駆動回路４２によりバックコンバータ回路３のスイッチング素子Ｑ２を駆動していないため、ＬＥＤモジュール２７は消灯状態である。
【００２７】
照明器具１００としては、昇圧チョッパ回路２が目標電圧で定電圧制御された状態で、バックコンバータ回路３を駆動しないでＬＥＤモジュール２７を消灯状態にして、アダプタモジュール４からの点灯指令があるまで待機している。ステップＳ１０２からステップＳ１０６に移行した場合、上記したように処理装置４５により人感センサ４ａ付アダプタモジュール４が収納部１０１に設置されずに無効と判断した時、処理装置４５は、昇圧チョッパ回路２のスイッチング素子Ｑ１もバックコンバータ回路２のスイッチング素子Ｑ２のいずれもオフの状態で、昇圧チョッパ回路２及びバックコンバータ回路３を駆動させることなく、ＬＥＤモジュール２７は消灯状態で、アダプタモジュールからの点灯指令があるまで待機する。
【００２８】
（Ｓ１０７）
ステップＳ１０５からステップＳ１０６に移行した場合、人感センサ４ａ付アダプタモジュール４は、昇圧チョッパ回路２を定電圧制御維持し待機した状態で、人感センサ４ａにより検知エリア内で人を検知すると、点灯指令を、通信回路４６を介して処理装置４５に送信する。処理装置４５は、アダプタモジュール４から送信される点灯指令が受信されるまで、判定を繰り返し、点灯指令を受信すると、ステップＳ１０８へ移行する。処理装置４５は、人感センサ４ａ付アダプタモジュール４からの点灯指令を受信するまで、バックコンバータ回路３を駆動しないでＬＥＤモジュール２７の消灯状態を継続する。
【００２９】
ステップＳ１０２からステップＳ１０６に移行した場合、例えば点灯指令/消灯指令用の赤外線受光部を備えた照度センサ付アダプタモジュールは、昇圧チョッパ回路２及びバックコンバータ回路３とも駆動せずに待機した状態で、赤外線リモコン等で点灯用電源が投入されると、点灯指令を、通信回路４６を介して処理装置４５に送信する。処理装置４５は、照度センサ付アダプタモジュールからの点灯指令を受信するまで、判定を繰り返し、点灯指令を受信すると、ステップＳ１０８へ移行する。
【００３０】
処理装置４５は、照度センサ付アダプタモジュールからの点灯指令を受信するまで、昇圧チョッパ回路２及びバックコンバータ回路３とも駆動しないでＬＥＤモジュール２７の消灯状態を継続する。なお、赤外線受光部のない照度センサ付アダプタモジュールの場合は、壁掛けスイッチで点灯指令用の電源投入を行うようにしてもよい。また、アダプタモジュールが設置されないで無効と判定され、ステップＳ１０２からステップＳ１０６へ移行して消灯状態で待機しているときも、点灯指令は壁掛けスイッチで電源投入するようにすればよい。
【００３１】
（Ｓ１０８）
ステップＳ１０２の時と同様に、照明器具１００の収納部１０１内に人感センサ４ａ付アダプタモジュール４が収納されているとき、人感センサ４ａ付アダプタモジュール４は、人感センサ４ａ用という機能を識別できる人感センサ４ａ用識別信号を、通信回路４６を介して処理装置４５に送信する。処理装置４５は、人感センサ４ａ用識別信号を受信すると、予め記憶部４３に設定した判定用識別情報をもとに、その識別信号を有効と判定し、ステップＳ１１２〜ステップＳ１１４に移行する。
【００３２】
人感センサ４ａ付アダプタモジュール４とは異なる機能のアダプタモジュール、例えば照度センサ付アダプタモジュールが収納部１０１内に収納された場合、照度センサ付アダプタモジュールは、照度センサ用識別信号を、通信回路４６を介して処理装置４５に送信する。処理装置４５は、照度センサ用識別信号を受信すると、予め記憶部４３に設定した判定用識別情報をもとに、その識別信号を無効と判定し、ステップＳ１０９〜ステップＳ１１４に移行する。処理装置４５は、アダプタモジュールが収納部１０１内に設置されてもアダプタモジュールから所定時間、識別信号が送信されないときや、アダプタモジュールが設置されてなくて所定時間、識別信号が送信されないときも、無効と判定し、ステップＳ１０９〜ステップＳ１１４に移行する。
【００３３】
（Ｓ１０９）
ステップＳ１０８において、無効と判定後、処理装置４５は、昇圧チョッパ回路２もバックコンバータ回路３も駆動していないので、まず、昇圧チョッパ回路２駆動用の駆動回路４１を駆動する。駆動回路４１は、昇圧チョッパ回路２のスイッチング素子Ｑ１を駆動するために、スイッチング信号（ＰＷＭ信号）を出力する。
【００３４】
（Ｓ１１０）
処理装置４５は、抵抗１５、１６を用いて分圧され入力された昇圧チョッパ回路２の出力電圧（コンデンサ１７の両端電圧）が、予め記憶部４３に設定されている目標電圧に達するように、駆動回路４１によりスイッチング素子Ｑ１をオンオフする。処理装置４５は、昇圧チョッパ回路２の出力電圧が、目標電圧に到達したかどうかの判定を行う。処理装置４５は、昇圧チョッパ回路２の出力電圧が目標電圧に到達するまで、判定を繰り返し、目標電圧に達すると、ステップＳ１１１に移行する。
【００３５】
（Ｓ１１１）
処理装置４５は、昇圧チョッパ回路２の出力電圧が目標電圧に到達した後、その出力電圧が安定するまでの所定時間に達するまで、駆動回路４１によりスイッチング素子Ｑ１をオンオフする。処理装置４５は、昇圧チョッパ回路２の出力電圧が目標電圧に到達した後、その出力電圧が安定するまでの所定時間に達するまで、判定を繰り返し、所定時間に達すると、ステップＳ１１２に移行する。昇圧チョッパ回路２は、その出力電圧が目標電圧に達し所定時間維持して、定電圧制御がなされた状態となっている。
【００３６】
（Ｓ１１２）
ステップＳ１０８からステップＳ１１２に移行する場合、昇圧チョッパ回路２が定電圧制御された状態で待機しているときに人感センサ４ａが人を検知すると、点灯指令を受信できるので、処理装置４５は、直ちに、バックコンバータ回路３のスイッチング素子Ｑ２を駆動するために、駆動回路４２よりスイッチング信号（ＰＷＭ信号）を出力してスイッチング素子Ｑ２をオンオフさせて、ＬＥＤモジュール２７の点灯を開始する。
【００３７】
ステップＳ１１１からステップＳ１１２に移行する場合、昇圧チョッパ回路２もバックコンバータ回路３も駆動せずに消灯状態で待機しているときにアダプタモジュールから点灯指令を受信すると、処理装置４５は、通常点灯のときと同様、ステップＳ１０９〜ステップＳ１１１のように昇圧チョッパ回路２の定電圧制御を行った後に、人感センサ４ａ付アダプタモジュール４が設置されるような消灯待機状態を経ることなく、バックコンバータ回路３のスイッチング素子Ｑ２を駆動するために、駆動回路４２よりスイッチング信号（ＰＷＭ信号）を出力してスイッチング素子Ｑ２をオンオフさせて、ＬＥＤモジュール２７の点灯を開始する。壁掛けスイッチや赤外線リモコンを活用して点灯指示を出してステップＳ１１１からステップＳ１１２に移行する場合も、上記と同様、通常点灯の処理を行う。
【００３８】
（Ｓ１１３）
人感センサ４ａ付アダプタモジュール４、照度センサ付アダプタモジュールいずれが設置された場合も、ＬＥＤ点灯開始後のステップＳ１１２〜Ｓ１１４までの動作は、同様の定電流制御処理である。処理装置４５には、通信回路４６を介してアダプタモジュールから調光指令値が入力される。処理装置４５は、アダプタモジュールから送信される調光指令値に応じた目標電流をもとに、検出抵抗２４にて検出されたＬＥＤ電流が目標電流に一致するように、駆動回路４２によりバックコンバータ回路３のスイッチング素子Ｑ２をオンオフする。処理装置４６は、ＬＥＤ電流が目標電流に到達するまで判定を行い、目標電流に到達すると、ステップＳ１１４へ移行する。
【００３９】
（Ｓ１１４）
人感センサ４ａ付アダプタモジュール４が設置された場合、人感センサ４ａ付アダプタモジュール４は、ＬＥＤモジュール２７を定電流制御で点灯しているときに、消灯指令を、通信回路４６を介して処理装置４５に送信する。処理装置４５は、アダプタモジュール４から送信される消灯指令が受信されるまで、判定を繰り返し、消灯指令を受信すると、ステップＳ１１５へ移行する。処理装置４５は、人感センサ４ａ付アダプタモジュール４からの消灯指令を受信するまで、バックコンバータ回路３を駆動してＬＥＤモジュール２７の点灯状態を継続する。
【００４０】
人感センサ４ａ付アダプタモジュール４からの消灯指令を送信するタイミングは、人感センサ４ａが人を検知してからその照明器具１００を人が通過するのに十分な所定時間(例えば１０秒)であり、アダプタモジュール４内のタイマーにて予め設定される。人感センサ４ａ付アダプタモジュール４は、タイマーにて設定された所定時間に達すると、消灯指令を、通信回路４６を介して処理装置４５に送信する。赤外線受光部を備えた照度センサ付アダプタモジュールが設置された場合、照度センサ付アダプタモジュールは、ＬＥＤモジュール２７を通常点灯しているときに、赤外線リモコン等で消灯指示がなされると、消灯指令を、通信回路４６を介して処理装置４５に送信する。処理装置４５は、照度センサ付アダプタモジュールからの消灯指令を受信するまで判定を繰り返し、消灯指令を受信すると、ステップＳ１１５へ移行する。
【００４１】
（Ｓ１１５）
ステップＳ１０２、Ｓ１０８の時と同様に、照明器具１００の収納部１０１内に人感センサ４ａ付アダプタモジュール４が収納されているとき、人感センサ４ａ付アダプタモジュール４は、人感センサ４ａ用という機能を識別できる人感センサ４ａ用識別信号を、通信回路４６を介して処理装置４５に送信する。処理装置４５は、人感センサ４ａ用識別信号を受信すると、予め記憶部４３に設定した判定用識別情報をもとに、その識別信号を有効と判定し、ステップＳ１１６に移行する。
【００４２】
人感センサ４ａ付アダプタモジュール４とは異なる機能のアダプタモジュール、例えば照度センサ付アダプタモジュールが収納部１０１内に収納された場合、照度センサ付アダプタモジュールは、照度センサ用識別信号を、通信回路４６を介して処理装置４５に送信する。処理装置４５は、照度センサ用識別信号を受信すると、予め記憶部４３に設定した判定用識別情報をもとに、その識別信号を無効と判定し、ステップＳ１１６、ステップＳ１１７に移行する。処理装置４５は、アダプタモジュールが収納部１０１内に設置されてもアダプタモジュールから識別信号が送信されないときや、アダプタモジュールが設置されてなくて識別信号が送信されないときも、無効と判定し、ステップＳ１１６、ステップＳ１１７に移行する。
【００４３】
（Ｓ１１６）
人感センサ４ａ付アダプタモジュール４が設置され有効と判定した場合、処理装置４５は、駆動回路４２から出力される信号を停止してバックコンバータ回路３のスイッチング素子Ｑ２の駆動を停止し、ＬＥＤモジュール２７を消灯した待機状態にしてステップＳ１０６に戻る。この時、処理装置４５は、昇圧チョッパ回路２側の定電圧制御をそのまま継続しており、定電圧制御の状態で消灯状態となっている。これに対し、照度センサ付アダプタモジュールが設置された場合など無効と判定された場合、処理装置４５は、駆動回路４２からの信号を停止してバックコンバータ回路３のスイッチング素子Ｑ２の駆動を停止し、ステップＳ１１７へ移行する。
【００４４】
（Ｓ１１７）
バックコンバータ回路３停止後、処理装置４５は、駆動回路４１から出力されるスイッチング信号を停止して、昇圧チョッパ回路２のスイッチング素子Ｑ１の駆動も停止させて、ステップＳ１０６に戻る。処理装置４５は、照度センサ付アダプタモジュールが設置された場合など無効と判定された場合、昇圧チョッパ回路２及びバックコンバータ回路３とも停止し消灯した状態で待機する。
【００４５】
この実施の形態では、人感センサ４ａ付アダプタモジュール４が設置された時にアダプタモジュール４から送信される識別信号を有効と判定した場合、昇圧チョッパ回路２の定電圧制御を行った状態で、バックコンバータ回路３側を停止し消灯した状態で待機するように構成したため、消灯待機状態から点灯指令により点灯状態へ移行する際に、ステップＳ１０９〜ステップＳ１１１には移行せず、昇圧チョッパ回路２の定電圧制御の一連の処理を一々最初から行うことなく、昇圧チョッパ回路２の定電圧制御の消灯待機状態から、直ちにバックコンバータ回路３を駆動させてＬＥＤモジュール２７を点灯開始することができる。このため、消灯待機状態の時に、人感センサ４ａで人が検知されアダプタモジュール４から点灯指令が送信されてから、点灯開始するまでの時間を短縮することができる。したがって、人を検知してから点灯するまでに、短い時間が要求される場所、例えば廊下などに照明器具１００が設置された場合でも、人が照明器具１００を通り過ぎてから点灯してしまうようなことがなくなり、確実に人に対して点灯することができる。
【００４６】
なお、アダプタモジュール４から送信される識別信号が有効の場合と、識別信号が無効または識別信号の送信がなくて無効の場合とで、識別信号の判定を逆にして構成してもよい。これにより、アダプタモジュール４から送信される識別信号が無効の場合または識別信号の送信がなくて無効の場合は、消灯状態から点灯状態へ移行する際に、ステップＳ１０９からステップＳ１１１には移行しないため、即ち、昇圧チョッパ回路２を定電圧制御し消灯した状態で点灯指令により直ちにバクコンバータ回路３を駆動してＬＥＤモジュール２７を点灯開始することができる。このため、アダプタモジュールから点灯指令が送信されてから点灯開始するまでの時間を短縮することができる。
【００４７】
また、人感センサ付アダプタモジュール４とは異なる機能のアダプタモジュールとして照度センサ付アダプタモジュールを例示して説明したが、他の照明器具や照明制御機器との通信を行うための無線通信機能を備えたアダプタモジュールで構成してもよいし、ＰＬＣユニットを含むアダプタモジュールで構成してもよい。
【符号の説明】
【００４８】
１  点灯装置、２  昇圧チョッパ回路、３  バックコンバータ回路、４  アダプタモジュール、７  交流電源、８  整流回路、９、１７、２３  コンデンサ、１０、２２  インダクタ、１４、２１  ダイオード、１５、１６、３１、３２  抵抗、２４  検出抵抗、２６  ＬＥＤ、２７  ＬＥＤモジュール、４０  制御装置、４１、４２  駆動回路、４３  記憶部、４４  Ａ／Ｄ変換回路、４５  処理装置、４６  通信回路、１００  照明器具、Ｑ１、Ｑ２  スイッチング素子。
【図１】
0006743467.tif 000002
【図２】
0006743467.tif 000003
【図３】
0006743467.tif 000004
【図４】
0006743467.tif 000005